(57)【要約】【課題】クロラミン臭、亜塩素酸イオンの生成を抑えつつ、低コストで浴槽水の殺菌を行うことができる浴槽水の殺菌方法を提供すること。【解決手段】本発明の浴槽水の殺菌方法は、循環させて使用する浴槽水に殺菌剤を供給することにより、前記浴槽水を殺菌する方法であり、殺菌剤として、塩素系薬剤と二酸化塩素とを用いることを特徴とする。また、前記塩素系薬剤と前記二酸化塩素とを、前記浴槽水における遊離残留塩素濃度と残留二酸化塩素濃度との合計濃度を、０．１ｍｇ／Ｌ以上に維持するように供給するのが好ましい。【選択図】なし【特許請求の範囲】
【請求項１】
循環させて使用する浴槽水に殺菌剤を供給することにより、前記浴槽水を殺菌する浴槽水の殺菌方法であって、
殺菌剤として、塩素系薬剤と二酸化塩素とを用いることを特徴とする浴槽水の殺菌方法。
【請求項２】
前記塩素系薬剤と前記二酸化塩素とを、前記浴槽水における遊離残留塩素濃度と残留二酸化塩素濃度との合計濃度を０．１ｍｇ／Ｌ以上に維持するように供給する請求項１に記載の浴槽水の殺菌方法。
【請求項３】
前記塩素系薬剤を、前記浴槽水における遊離残留塩素濃度をほぼ一定に維持するように供給しつつ、前記二酸化塩素を、間欠的に供給する請求項１または２に記載の浴槽水の殺菌方法。
【請求項４】
前記遊離残留塩素濃度は、０．１ｍｇ／Ｌ以上である請求項３に記載の浴槽水の殺菌方法。
【請求項５】
前記二酸化塩素の１回の供給量は、前記浴槽水１Ｌに対して０．０５ｍｇ以上である請求項３または４に記載の浴槽水の殺菌方法。
【請求項６】
前記二酸化塩素を供給する間隔は、３時間以内である請求項３ないし５のいずれかに記載の浴槽水の殺菌方法。
【請求項７】
前記二酸化塩素は、亜塩素酸塩と酸とを反応させることにより発生させたものである請求項１ないし６のいずれかに記載の浴槽水の殺菌方法。
【請求項８】
前記二酸化塩素を、酸とともに供給する請求項１ないし７のいずれかに記載の浴槽水の殺菌方法。
【請求項９】
前記二酸化塩素は、亜塩素酸塩と酸とを反応させることにより発生させたものであり、
前記浴槽水に供給される酸は、前記二酸化塩素を発生させる際に用いられる酸である請求項８に記載の浴槽水の殺菌方法。
【発明の詳細な説明】
【０００１】
【発明の属する技術分野】
本発明は、循環させて使用する浴槽水の殺菌方法に関するものである。
【０００２】
【従来の技術】
レジオネラ属菌は、冷却水系で増殖・繁殖し、飛散水を経由して感染することで、レジオネラ肺炎やポンテアック熱のような病気を引き起こす原因となる。
【０００３】
近年、このレジオネラ属菌が、温泉、公衆浴場あるいは家庭内の循環式浴槽で増殖・繁殖していることが知られるようになり、大きな問題となっている。
【０００４】
ここで、循環式浴槽は、浴槽内に貯留された水の一部を取り出し、濾過器により濾過したのち、再度浴槽内に戻す循環濾過ラインを有するものである。この循環濾過ラインにより、常時、浴槽水中の汚れが捕捉除去されるので、換水の頻度を低くすることができ、換水や掃除の期間を除いて昼夜を問わず入浴することが可能となる。
【０００５】
しかし、このような循環式浴槽では、配管の壁面や濾過器内の濾材にバイオフィルムが生成し易く、このバイオフィルムがレジオネラ属菌増殖の温床となる。また、レジオネラ属菌はアメーバを宿主とし、アメーバの体内で増殖した後浴槽水へ供給される。このアメーバの体内に存在するレジオネラ属菌は除去するのが難しいとされている。
【０００６】
このような浴槽水内に生息するレジオネラ菌属に対して、厚生省（当時）生活衛生局企画課監修の「新版レジオネラ症防止指針」によれば、目標値として１０個／１００ｍＬ未満であることが求められている。
【０００７】
そこで、上記目標値を達成すべく、レジオネラ属菌を殺菌する方法として、各種の殺菌剤を用いる方法が提案されている。例えば、特許文献１には、殺菌剤として塩素系薬剤を用いる方法が、また、特許文献２には、殺菌剤として二酸化塩素を用いる方法が、それぞれ開示されている。
【０００８】
しかし、塩素系薬剤による殺菌方法を浴槽水の殺菌に適用すると、入浴者とともに持ち込まれるアンモニアと塩素系薬剤とが反応し、クロラミンが生成される。これにより、Ｉ：殺菌の有効成分である遊離残留塩素が減少し殺菌効果が不十分となる、ＩＩ：クロラミンが濃縮されると、クロラミン臭が激しくなり、入浴者に不快感を与える、ＩＩＩ：さらに濃縮されたクロラミンが、目や肌を刺激する等の不都合が生じる。
【０００９】
また、浴槽水のｐＨがアルカリ性の場合には、遊離残留塩素の殺菌力が著しく低下するため、通常時の、２〜５倍量の塩素系薬剤の注入（供給）が必要となる。この場合、遊離残留塩素が、入浴者の肌や目などに刺激を与えるようになってしまう。
【００１０】
一方、二酸化塩素による殺菌方法を浴槽水の殺菌に適用すると、塩素系薬剤による殺菌に見られるようなクロラミンの生成や肌等への刺激がないという利点が得られるものの、次のような不都合が生じる。
【００１１】
すなわち、二酸化塩素は、殺菌剤として作用した結果、人体に有害な亜塩素酸イオンを生成する。殺菌効果を上げるために、二酸化塩素の使用量を多くすると、この亜塩素酸イオンが多量に生成し、人体に悪影響を及ぼすおそれがある。
【００１２】
また、二酸化塩素は、塩素系薬剤に比べてコスト高になるため、二酸化塩素を単独で用いる殺菌は、例えば健康ランド、スーパー銭湯、旅館、公衆浴場等の商業施設で使用するには実用性に欠ける。
【００１３】
【特許文献１】
特開平１０−２９０９８５号公報
【特許文献２】
特開平１０−２８９７９号公報
【００１４】
【発明が解決しようとする課題】
本発明の目的は、クロラミン臭、亜塩素酸イオンの生成を抑えつつ、低コストで浴槽水の殺菌を行うことができる浴槽水の殺菌方法を提供することにある。
【００１５】
【課題を解決するための手段】
このような目的は、下記（１）〜（９）の本発明により達成される。
【００１６】
（１）  循環させて使用する浴槽水に殺菌剤を供給することにより、前記浴槽水を殺菌する浴槽水の殺菌方法であって、
殺菌剤として、塩素系薬剤と二酸化塩素とを用いることを特徴とする浴槽水の殺菌方法。
【００１７】
（２）  前記塩素系薬剤と前記二酸化塩素とを、前記浴槽水における遊離残留塩素濃度と残留二酸化塩素濃度との合計濃度を０．１ｍｇ／Ｌ以上に維持するように供給する上記（１）に記載の浴槽水の殺菌方法。
【００１８】
（３）  前記塩素系薬剤を、前記浴槽水における遊離残留塩素濃度をほぼ一定に維持するように供給しつつ、前記二酸化塩素を、間欠的に供給する上記（１）または（２）に記載の浴槽水の殺菌方法。
【００１９】
（４）  前記遊離残留塩素濃度は、０．１ｍｇ／Ｌ以上である上記（３）に記載の浴槽水の殺菌方法。
【００２０】
（５）  前記二酸化塩素の１回の供給量は、前記浴槽水１Ｌに対して０．０５ｍｇ以上である上記（３）または（４）に記載の浴槽水の殺菌方法。
【００２１】
（６）  前記二酸化塩素を供給する間隔は、３時間以内である上記（３）ないし（５）のいずれかに記載の浴槽水の殺菌方法。
【００２２】
（７）  前記二酸化塩素は、亜塩素酸塩と酸とを反応させることにより発生させたものである上記（１）ないし（６）のいずれかに記載の浴槽水の殺菌方法。
【００２３】
（８）  前記二酸化塩素を、酸とともに供給する上記（１）ないし（７）のいずれかに記載の浴槽水の殺菌方法。
【００２４】
（９）  前記二酸化塩素は、亜塩素酸塩と酸とを反応させることにより発生させたものであり、
前記浴槽水に供給される酸は、前記二酸化塩素を発生させる際に用いられる酸である上記（８）に記載の浴槽水の殺菌方法。
【００２５】
【発明の実施の形態】
以下、本発明の浴槽水の殺菌方法の好適な実施形態について、添付図面を参照しつつ詳細に説明する。
【００２６】
本発明の浴槽水の殺菌方法（以下、単に「殺菌方法」と言う）は、殺菌剤として、塩素系薬剤と二酸化塩素とを併用して浴槽水の殺菌を行うものである。
【００２７】
以下、本発明の殺菌方法を、浴槽水を循環させて使用する循環式浴槽に適用した場合を代表に説明する。
【００２８】
図１は、本発明の殺菌方法を適用する循環式浴槽の構成を示す模式図である。
図１に示す循環式浴槽１は、温水供給手段２と、浴槽３と、浴槽水循環ライン４と、集毛器５と、ポンプ６と、濾過器７と、加熱手段８と、塩素系薬剤供給手段９と、二酸化塩素供給手段１０とを有している。
【００２９】
温水供給手段２は、浴槽３に浴槽水（温水）２０を供給するものである。この温水供給手段２は、ヒータ（図示せず）が取り付けられた温水タンク２１と、温水タンク２１に連通する温水供給管２２とを有しており、温水タンク２１内で適当な温度に加温された浴槽水（循環水）２０を、温水供給管２２を介して浴槽３に供給する。
【００３０】
浴槽３は、人が入浴する槽であり、収容人数に応じた容積とされている。この浴槽３の底部には、浴槽水２０の一部を浴槽水循環ライン４に排出する浴槽水排出口３１が設けられ、側壁面には、浴槽水循環ライン４を介して浴槽水２０を浴槽３内に再導入する浴槽水導入口３２が設けられている。
【００３１】
この循環式浴槽１では、浴槽３内の浴槽水２０が浴槽水排出口３１より排出されると同時に、浴槽水循環ライン４で処理（例えば殺菌、加温等）された浴槽水２０が浴槽水導入口３２より浴槽３内に導入される。これにより、浴槽３内の浴槽水２０は、ほぼ一定量に保持される。
【００３２】
浴槽水循環ライン４の途中には、浴槽水排出口３１側から順に、集毛器５、ポンプ６、濾過器７および加熱手段８が設けられている。具体的には、浴槽水循環ライン４は、複数の流路管４１で構成され、所定の流路管４１により集毛器５、ポンプ６、濾過器７および加熱手段８が接続されている。
【００３３】
集毛器（ヘアキャッチャー）５は、浴槽水２０中に混入した毛髪等の比較的大きな異物を捕捉・除去するものである。この集毛器５には、後述する濾過器７と同様の構成とすることができるが、濾過器７が備える濾材に対して、開口径が大きい濾材を用いるようにすればよい。
【００３４】
ポンプ６は、浴槽水２０を、浴槽水循環ライン４の流路に沿って浴槽水排出口３１から浴槽水導入口３２に向かって圧送するものである。このポンプ６の制御により、浴槽水排出口３１より排出される浴槽水２０の排出量と、浴槽水導入口３２より導入される浴槽水２０の導入量が調整され、浴槽水循環ライン４を流れる浴槽水２０の流速が調整される。
【００３５】
この浴槽水２０の流速（循環速度）は、通常、循環式浴槽１の保有水（浴槽３内の浴槽水２０）を、好ましくは１時間当たり１回以上循環させるように設定され、より好ましくは１時間当たり２回以上循環させるように設定される。
【００３６】
濾過器７は、浴槽水２０中に混入したゴミ等の比較的小さい異物を捕捉・除去するものである。この濾過器７は、例えば、濾材が容器（ケーシング）内に収容されて構成されている。
【００３７】
濾材には、砂、アンスラサイト粒子、セラミックス粒子のような粒子状のものや、繊維を筒形に巻回したカートリッジ、不織布をプリーツ形に折り曲げたカートリッジ等が用いられる。また、前記繊維および不織布の構成材料としては、それぞれ、例えば、ポリウレタン、ポリエステル、ポリ（メタ）アクリレート、ブタジエン−アクリロニトリルコポリマー、ポリアミド等の各種樹脂材料が挙げられる。
【００３８】
加熱手段８は、例えば、浴槽水循環ライン４を構成する流路管４１の周囲に配設されたヒータによって構成されている。
【００３９】
浴槽水排出口３１より浴槽水循環ライン４に導入された浴槽水２０は、浴槽水循環ライン４を通過する過程で温度が下がるが、このヒータが配設された流路管４１内を通過する際に適当な温度に加熱（加温）される。その後、浴槽水導入口３２から浴槽３内に再導入される。
【００４０】
浴槽水循環ライン４の途中（本実施形態では、ポンプ６と濾過器７との間）には、塩素系薬剤供給手段９と二酸化塩素供給手段１０とが、それぞれ接続されている。
【００４１】
塩素系薬剤供給手段９は、塩素系薬剤が貯留された塩素系薬剤貯留タンク９１と、塩素系薬剤貯留タンク９１と浴槽水循環ライン４とを接続する流路管９２と、流路管９２の途中に設けられたポンプ９３とで構成されている。
【００４２】
この塩素系薬剤供給手段９は、ポンプ９３の作動により、塩素系薬剤貯留タンク９１内の塩素系薬剤が、流路管９２を介して浴槽水循環ライン４を通過する浴槽水２０に供給される。
【００４３】
塩素系薬剤としては、例えば、次亜塩素酸ナトリウム、次亜塩素酸カルシウムのような次亜塩素酸塩、さらし粉、塩素化イソシアヌル酸、塩素化ヒダントイン等が挙げられ、これらのうちの１種または２種以上を組み合わせて用いることができる。
【００４４】
これら塩素系薬剤は、浴槽水２０、流路管４１の内壁、濾過器７の容器の内壁および濾材等に存在する、レジオネラ属菌のような細菌や微生物の呼吸系酵素を阻害することにより殺菌剤として作用する。
【００４５】
二酸化塩素供給手段１０は、二酸化塩素を発生させる二酸化塩素発生部１０１と、二酸化塩素発生部１０１と浴槽水循環ライン４とを接続する流路管１０２と、流路管１０２の途中に設けられたポンプ１０３とで構成されている。
【００４６】
この二酸化塩素供給手段１０は、ポンプ１０３の作動により、二酸化塩素発生部１０１で発生した二酸化塩素を、流路管１０２を介して浴槽水循環ライン４を通過する浴槽水２０に供給する。
【００４７】
二酸化塩素発生部１０１は、化学反応によって二酸化塩素を発生させる。この二酸化塩素の発生方法としては、特に限定されないが、例えば亜塩素酸塩を出発原料とする方法として、以下の３つの方法がある。
【００４８】
（１）亜塩素酸塩と酸との反応（二液法）
例えば、亜塩素酸ナトリウムと塩酸とを用いた場合には、次の反応により二酸化塩素が発生する。
５ＮａＣｌＯ２＋４ＨＣｌ  →  ４ＣｌＯ２＋５ＮａＣｌ＋２Ｈ２Ｏ
【００４９】
（２）亜塩素酸塩と次亜塩素酸塩と酸との反応（三液法）
例えば、亜塩素酸ナトリウム、次亜塩素酸ナトリウムおよび塩酸を用いた場合には、次の反応により二酸化塩素が発生する。
２ＮａＣｌＯ２＋ＮａＣｌＯ＋２ＨＣｌ  →  ２ＣｌＯ２＋ＮａＣｌ＋Ｈ２Ｏ
【００５０】
（３）亜塩素酸塩と塩素との反応
例えば、亜塩素酸ナトリウムと塩素を用いた場合には、次の反応により二酸化塩素が発生する。
２ＮａＣｌＯ２＋Ｃｌ２  →  ２ＣｌＯ２＋２ＮａＣｌ
【００５１】
これらの（１）〜（３）の方法において、亜塩素酸塩としては、例えば、亜塩素酸ナトリウムの他、亜塩素酸カリウム等を用いることができる。
【００５２】
また、（１）および（２）の方法において用いる酸は、無機酸、有機酸のいずれも使用可能である。このうち、無機酸としては、例えば、塩酸の他、硫酸、硝酸、リン酸等が挙げられる。一方、有機酸としては、例えば、ギ酸、酢酸、プロピオン酸、マロン酸、琥珀酸、クエン酸、リンゴ酸、シュウ酸、オキシカルボン酸等が挙げられる。
【００５３】
本実施形態の二酸化塩素供給手段１０は、二液法によって二酸化塩素を発生させるものであり、二酸化塩素発生部１０１は、亜塩素酸塩水溶液貯留タンク１０１ａ、酸水溶液貯留タンク１０１ｂおよび二液混合反応部１０１ｃを有している。この二酸化塩素発生部１０１では、亜塩素酸塩水溶液貯留タンク１０１ａおよび酸水溶液貯留タンク１０１ｂから、それぞれ亜塩素酸塩水溶液および酸水溶液が二液混合反応部１０１ｃに供給される。二液混合反応部１０１ｃでは、供給された亜塩素酸塩水溶液と酸水溶液とが混合されることにより反応し、二酸化塩素が発生する。この発生した二酸化塩素は、未反応の亜塩素酸塩および酸とともに、浴槽水循環ライン４に供給される。
【００５４】
ここで、前述した塩素系薬剤は、ｐＨが高くなる程、その殺菌力が低下する。これは、次亜塩素酸（殺菌に有効である成分）がｐＨの上昇に伴って、容易に次亜塩素酸イオンと水素イオンとに分解し、殺菌効果が消失することが原因である。このため、浴槽水２０のｐＨが高過ぎる場合には、塩素系薬剤の殺菌効果が十分に得られない。
【００５５】
そこで、本実施形態のように、未反応の酸（酸水溶液）を二酸化塩素とともに、浴槽水循環ライン４に供給するよう構成することにより、浴槽水２０のｐＨが高くなることを防止すること、換言すれば、ｐＨを低下させることができ、その結果、浴槽水２０における遊離残留塩素濃度が低下するのを防止して、塩素系薬剤の効果を十分に発揮させることができるようになる。
【００５６】
かかる観点からは、本実施形態のように、二酸化塩素発生部１０１の構成を、二液法によるものとする他、三液法によるものとすることが好ましい。
【００５７】
また、用いる酸の量は、亜塩素酸塩に対して過剰量とするのが好ましい。これにより、浴槽水循環ライン４に確実に酸が供給されることになり、前記効果をより向上させることができる。
【００５８】
さて、浴槽水２０に供給された二酸化塩素（ＣｌＯ２）は、分解する際に酸素を発生する。このとき発生する酸素は、発生時にはＯの状態（活性酸素）で存在しており、この状態の酸素はＯ２に比べて強力な酸化力を発揮する。この活性酸素の酸化力により、浴槽水２０、流路管４１の内壁、濾過器７の容器の内壁および濾材等に存在する、レジオネラ属菌のような細菌や微生物の細胞膜を酸化分解することにより、殺菌剤として作用するとともに、バイオフィルムを破壊することができる。なお、二酸化塩素の殺菌力は、塩素系薬剤の殺菌力に対して２〜３倍高いと言われている。
【００５９】
また、この二酸化塩素の殺菌力（殺菌作用）は、比較的高いｐＨでも好適に発揮されるので、ｐＨの高い浴槽水２０に対しても、十分な殺菌を行うことができる。
【００６０】
さらに、本発明では、殺菌剤として、塩素系薬剤と二酸化塩素とを併用することにより、これら薬剤を単独で用いる場合に比べて、それぞれの使用量を少なく抑えることができる。したがって、塩素系薬剤の使用に起因するクロラミンの発生、二酸化塩素の使用に起因する亜塩素酸イオンの発生が抑えられるとともに、二酸化塩素単独で殺菌を行うのに比べてコストの低減を図ることもできる。
【００６１】
ここで、本発明では、塩素系薬剤と二酸化塩素とを、浴槽水２０における遊離残留塩素濃度と残留二酸化塩素濃度との合計濃度を、０．１ｍｇ／Ｌ以上に維持するように供給するのが好ましく、０．２〜１ｍｇ／Ｌ程度に維持するように供給するのがより好ましく、０．２〜０．５ｍｇ／Ｌ程度に維持するように供給するのがさらに好ましい。これら薬剤の濃度の合計が前記範囲よりも小さい場合には、浴槽水２０のｐＨや汚れの程度等によっては、十分な殺菌を行えないおそれがある。
【００６２】
また、塩素系薬剤と二酸化塩素とを、それぞれ常時供給するようにしてもよいが、塩素系薬剤を、浴槽水２０における遊離残留塩素濃度をほぼ一定に維持するように供給しつつ、二酸化塩素を、所定の頻度で間欠的に供給するのが好ましい。これにより、浴槽水２０における遊離残留塩素濃度と残留二酸化塩素濃度との合計濃度を前述した範囲に設定すること、すなわち、浴槽水２０の衛生管理が容易となる。
【００６３】
この場合、一定に維持する遊離残留塩素濃度は、０．１ｍｇ／Ｌ以上であるのが好ましく、０．２〜０．４ｍｇ／Ｌ程度であるのがより好ましい。遊離残留塩素濃度が前記範囲よりも低い場合には、浴槽水２０のｐＨや汚れの程度等によっては、十分な殺菌を行えないおそれがある。
【００６４】
また、この場合、二酸化塩素の１回の供給量（注入量）は、１Ｌの浴槽水２０に対して０．０５ｍｇ以上であるのが好ましく、０．０５〜０．１ｍｇ程度であるのがより好ましく、二酸化塩素を供給する頻度（間隔）は、３時間以内であるのが好ましく、１〜３時間程度であるのがより好ましい。二酸化塩素の１回の供給量や、二酸化塩素を供給する頻度を、それぞれ、前記範囲とすることにより、浴槽水２０の衛生管理がより容易となる。
【００６５】
なお、塩素系薬剤供給手段９および二酸化塩素供給手段１０の浴槽水循環ライン４への接続個所は、それぞれ任意であるが、本実施形態のように、濾過器７より上流側（浴槽３の浴槽水排出口３１側）に接続することにより、濾過器７内の殺菌をより確実に行うことができる。
【００６６】
以上、本発明の浴槽水の殺菌方法を図示の実施形態に基づいて説明したが、本発明は、これに限定されるものではない。
【００６７】
例えば、前記実施形態では、浴槽水２０に、二酸化塩素とともに供給される酸は、二酸化塩素を発生させる際に用いる酸であったが、別途、酸を供給するようにしてもよい。
【００６８】
また、前記実施形態では、本発明を循環式浴槽の浴槽水の殺菌に適用した場合を代表に説明したが、本発明は、プール等の循環水（浴槽水）の殺菌に適用することもできる。
【００６９】
【実施例】
次に、本発明の具体的実施例について説明する。
【００７０】
（実験例）
図１に示す循環式浴槽を用い、表１に示すタイムコースで、次亜塩素酸ナトリウム（塩素系薬剤）および二酸化塩素を供給した。
【００７１】
そして、各期間における遊離残留塩素濃度、残留二酸化塩素濃度、亜塩素酸イオン濃度およびレジオネラ菌数、それぞれを測定し、さらにクロラミン臭の有無を調べた。
【００７２】
なお、遊離残留塩素濃度、残留二酸化塩素濃度および亜塩素酸イオン濃度は、ヨウ素滴定法を用いてそれぞれ測定し、レジオネラ属菌の数は、冷却遠心濃縮法を用いて測定した。
【００７３】
その結果を、次亜塩素酸ナトリウムおよび二酸化塩素の供給のタイムコースと併せて表１に示す。
【００７４】
なお、表１中の遊離残留塩素濃度と残留二酸化塩素濃度との合計濃度は、各日の同時刻に測定した結果の２週間の平均値である。また、レジオネラ属菌の数、クロラミン臭の有無、亜塩素酸イオン濃度は、それぞれ、２週目、４週目、６週目、９週目および１１週目のそれぞれ最終日の同時刻における結果である。
【００７５】
また、各期間において、循環式浴槽の利用者数に、有意な差は認められなかった。
【００７６】
【表１】
2005007254.tif 000002
【００７７】
表１に示すように、次亜塩素酸ナトリウムの供給により、遊離残留塩素濃度が０．８ｍｇ／Ｌに維持されている期間（１〜２週目）には、レジオネラ属菌は検出されないものの、クロラミン臭が激しかった。
【００７８】
また、次亜塩素酸ナトリウムの供給量を低減し、遊離残留塩素濃度を０．２ｍｇ／Ｌに維持した期間（３〜４週目）には、クロラミン臭が緩和するものの、レジオネラ属菌が検出されるようになった。
【００７９】
以上のことから、次亜塩素酸ナトリウムを単独で使用する場合には、クロラミン臭を抑えつつ、レジオネラ属菌を殺菌するのは困難であることが判る。
【００８０】
次に、次亜塩素酸ナトリウムの供給により、遊離残留塩素濃度を０．２ｍｇ／Ｌに維持しつつ、二酸化塩素の１回の供給量を、浴槽水１Ｌに対して０．０８ｍｇ、２．４時間間隔（１０回／日）で供給した期間（５〜６週目）、すなわち、本発明の浴槽水の殺菌方法を適用した期間には、レジオネラ属菌が検出されなくなり、クロラミン臭も消失した。また、亜塩素酸イオン濃度も低く抑えられていた。
【００８１】
これに対して、次亜塩素酸ナトリウムの供給を停止し、５〜６週目と同様の条件で二酸化塩素を単独供給した期間（７〜９週目）には、クロラミン臭の発生はないものの、レジオネラ属菌が検出されるようになった。そこで、二酸化塩素の１回の供給量を、浴槽水１Ｌに対して０．２ｍｇ、１．２時間間隔（２０回／日）で単独供給する（１０〜１１週目）と、レジオネラ属菌は検出されなくなるものの、亜塩素酸イオン濃度が高くなり、人体への影響が危惧される程度となった。
【００８２】
以上のことから、クロラミン臭および亜塩素酸イオンの生成を抑えつつ、レジオネラ属菌を殺菌するには、次亜塩素酸ナトリウムと二酸化塩素の併用が有効であることが判る。
【００８３】
【発明の効果】
以上述べたように、本発明によれば、殺菌剤として、塩素系薬剤と二酸化塩素とを用いることにより、クロラミン臭、亜塩素酸イオンの生成を抑えつつ、レジオネラ属菌のような細菌や微生物の殺菌、バイオフィルムの破壊を行うことができ、また殺菌剤の供給に要するコストを低く抑えることができる。
したがって、循環式浴槽の清潔性、快適性、実用性を高めることができる。
【００８４】
また、塩素系薬剤と二酸化塩素との供給量や、供給パターンを適宜設定することにより、前記効果をより向上させることができる。
【００８５】
このようなことから、本発明は、例えば健康ランド、スーパー銭湯、旅館、公衆浴場、プール等の商業施設で好適に使用することができる。
【図面の簡単な説明】
【図１】本発明の殺菌方法を適用する循環式浴槽の構成を示す模式図である。
【符号の説明】
１            循環式浴槽
２            温水供給手段
２０          浴槽水
２１          温水タンク
２２          温水供給管
３            浴槽
３１          浴槽水排出口
３２          浴槽水導入口
４            浴槽水循環ライン
４１          流路管
５            集毛器
６            ポンプ
７            濾過器
８            加熱手段
９            塩素系薬剤供給手段
９１          塩素系薬剤貯留タンク
９２          流路管
９３          ポンプ
１０          二酸化塩素供給手段
１０１        二酸化塩素発生部
１０１ａ      亜塩素酸塩水溶液貯留タンク
１０１ｂ      酸水溶液貯留タンク
１０１ｃ      二液混合反応部
１０２        流路管
１０３        ポンプ
【図１】
2005007254.tif 000003